(57)【要約】【課題】絞り羽根の作動音を低減することができる絞り装置およびカメラのレンズ鏡筒を提供する。【解決手段】本発明に係わる絞り装置４は、入射した被写体光が通過する開口を規定するものであって、互いに所定方向に重ね合わせて配置された複数枚の絞り羽根２０と、前記開口が所望の開口サイズとなるように、複数枚の絞り羽根２０を所望の絞り値に応じて開閉駆動する駆動部５０と、複数枚の絞り羽根２０を収納する羽根室６０と、駆動部５０による絞り羽根２０の開閉駆動時に、羽根室６０の光軸Ｌ１方向の間隔を、非開閉駆動時よりも広くする羽根室可変手段としての圧電素子４０を備える。【選択図】図１
2010078804.tif 000002
【特許請求の範囲】
【請求項１】
入射した被写体光が通過する開口を規定するものであって、互いに所定方向に重ね合わせて配置された複数枚の絞り羽根と、
前記開口が所望の開口サイズとなるように、複数枚の前記絞り羽根を、所望の絞り値に応じて開閉駆動する駆動手段と、
複数枚の前記絞り羽根を収納する羽根室と、
前記駆動手段による前記絞り羽根の開閉駆動時に、前記羽根室の前記所定方向の間隔を、非開閉駆動時よりも広くする羽根室可変手段と、
を備えることを特徴とする絞り装置。
【請求項２】
請求項１に記載の絞り装置であって、
前記羽根室可変手段は、
前記駆動手段による前記絞り羽根の開閉駆動時に、前記羽根室の前記所定方向の間隔を徐々に広くすること、
を特徴とする絞り装置。
【請求項３】
請求項１または２に記載の絞り装置であって、
前記羽根室可変手段は、
前記駆動手段による前記絞り羽根の開閉駆動時に、前記羽根室の前記所定方向の間隔を、絞り値に応じて可変にすること、
を特徴とする絞り装置。
【請求項４】
請求項１から請求項３のいずれか一項に記載の絞り装置であって、
前記羽根室可変手段は、
前記開口の制御が不要な期間中は、前記羽根室の前記所定方向の間隔を前記絞り羽根の非開閉駆動時よりも狭くすること、
を特徴とする絞り装置。
【請求項５】
請求項１から請求項４のいずれか一項に記載の絞り装置であって、
前記羽根室可変手段は、
所定電圧の印加により伸縮変形する圧電素子からなり、第１電圧が印加されたときは伸び変形して前記羽根室の前記所定方向の間隔を非印加時よりも広くし、第２電圧が印加されたときは縮み変形して前記羽根室の前記所定方向の間隔を非印加時よりも狭くすること、
を特徴とする絞り装置。
【請求項６】
請求項１から請求項５のいずれか一項に記載の絞り装置と、
入射した被写体光を屈折させて射出側の受光面に被写体像を形成する光学部材と、
前記絞り装置および前記光学部材が収納される筒体と、
を備えることを特徴とするカメラのレンズ鏡筒。
【請求項７】
請求項６に記載のカメラのレンズ鏡筒であって、
前記羽根室可変手段は、
前記レンズ鏡筒が撮影不能な状態にあるときには、前記羽根室の前記所定方向の間隔を、前記絞り羽根の非開閉駆動時よりも狭くすること、
を特徴とするカメラのレンズ鏡筒。
【発明の詳細な説明】
【技術分野】
【０００１】
本発明は、絞り装置および、この絞り装置を備えたカメラのレンズ鏡筒に関するものである。
【背景技術】
【０００２】
カメラ等の光学機器には絞り装置が用いられている。この絞り装置は、複数枚の絞り羽根を光軸周りに開閉駆動することにより、入射した被写体光の開口（通過領域）を形成するとともに、その開口サイズを制御することにより被写体光の光量を調整するものである（例えば、特許文献１参照）。
【特許文献１】特開２００６−３３７９４７号公報
【発明の開示】
【発明が解決しようとする課題】
【０００３】
従来の絞り装置を備えたレンズ鏡筒では、駆動時に絞り羽根同士が擦れることにより作動音が発生していた。このようなレンズ鏡筒が装着されたデジタルカメラにおいて動作撮影モードにして撮影した場合、絞り羽根同士の擦れによる作動音が騒音として録音されてしまうことがあった。したがって、従来の絞り装置においては、絞り羽根の作動音を低減することが望まれていた。
【０００４】
本発明の課題は、絞り羽根の作動音を低減することができる絞り装置およびカメラのレンズ鏡筒を提供することにある。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、入射した被写体光が通過する開口を規定するものであって、互いに所定方向に重ね合わせて配置された複数枚の絞り羽根（２０）と、前記開口が所望の開口サイズとなるように、複数枚の前記絞り羽根を、所望の絞り値に応じて開閉駆動する駆動手段（５０）と、複数枚の前記絞り羽根を収納する羽根室（６０）と、前記駆動手段による前記絞り羽根の開閉駆動時に、前記羽根室の前記所定方向の間隔を、非開閉駆動時よりも広くする羽根室可変手段とを備えることを特徴とする絞り装置（４）である。
請求項２に記載の発明は、請求項１に記載の絞り装置であって、前記羽根室可変手段は、前記駆動手段（５０）による前記絞り羽根（２０）の開閉駆動時に、前記羽根室（６０）の前記所定方向の間隔を徐々に広くすることを特徴とするものである。
請求項３に記載の発明は、請求項１または２に記載の絞り装置であって、前記羽根室可変手段は、前記駆動手段による前記絞り羽根（２０）の開閉駆動時に、前記羽根室（６０）の前記所定方向の間隔を、絞り値に応じて可変にすることを特徴とするものである。
請求項４に記載の発明は、請求項１から請求項３のいずれか一項に記載の絞り装置であって、前記羽根室可変手段は、前記開口の制御が不要な期間中は、前記羽根室（６０）の前記所定方向の間隔を前記絞り羽根（２０）の非開閉駆動時よりも狭くすることを特徴とするものである。
請求項５に記載の発明は、請求項１から請求項４のいずれか一項に記載の絞り装置であって、前記羽根室可変手段は、所定電圧の印加により伸縮変形する圧電素子（４０）からなり、第１電圧が印加されたときは伸び変形して前記羽根室（６０）の前記所定方向の間隔を非印加時よりも広くし、第２電圧が印加されたときは縮み変形して前記羽根室の前記所定方向の間隔を非印加時よりも狭くすることを特徴とするものである。
請求項６に記載の発明は、請求項１から請求項５のいずれか一項に記載の絞り装置（４）と、入射した被写体光を屈折させて射出側の受光面に被写体像を形成する光学部材（３）と、前記絞り装置および前記光学部材が収納される筒体（７）とを備えることを特徴とするカメラのレンズ鏡筒（２）である。
請求項７に記載の発明は、請求項６に記載のカメラのレンズ鏡筒（２）であって、前記羽根室可変手段は、前記レンズ鏡筒が撮影不能な状態にあるときには、前記羽根室（６０）の前記所定方向の間隔を、前記絞り羽根（２０）の非開閉駆動時よりも狭くすることを特徴とするものである。
なお、符号を付して説明した構成は、適宜改良してもよく、また、少なくとも一部を他の構成物に代替してもよい。
【発明の効果】
【０００６】
本発明によれば、絞り羽根の作動音を低減することができる絞り装置およびカメラのレンズ鏡筒を提供することができる。
【発明を実施するための最良の形態】
【０００７】
以下、図面を参照して、本発明に係わる絞り装置およびカメラのレンズ鏡筒の実施形態について説明する。なお、以下に示す図面には、説明と理解を容易にするために、適宜にＸＹＺの直交座標系を設けた。この座標系では、撮影者が光軸Ｌ１を水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。なお、実施形態に示す各部の形状や、長さ、厚みなどの縮尺は必ずしも実物と一致するものではなく、また説明に必要のない部分については適宜に省略又は簡略化して描いている。
【０００８】
図１は、本実施形態の絞り装置４を備えたレンズ鏡筒２およびそのレンズ鏡筒２が装着されたカメラ１の概略図である。本実施形態のレンズ鏡筒２は、入射した被写体光を屈折させて出射側に被写体像を形成する光学部材としてのレンズ３と、このレンズ３の開口サイズを調節する絞り装置４とを備え、これらが筒体７に収納されている。またカメラ１はカメラボディ５と、レンズ３により形成された被写体像を撮像して電気信号に変換する撮像部６とを備え、レンズ鏡筒２がカメラボディ５に対して着脱自在に装着される構成となっている。
【０００９】
図２は、絞り装置４の絞り羽根２０が最小絞り（最小Ｆ値）位置にあるときの平面図、図３は同装置４の絞り羽根２０が最大絞り（最大Ｆ値）位置にあるときの平面図である。なお、図２および図３では、絞り羽根２０の配置を分かり易くするため、カム板１０（最上面）の裏側に収納されている絞り羽根２０を実線で示し、このうち隣接する絞り羽根２０と重なり合う部分のみを破線で示している。以下、図１〜図３を参照しながら絞り装置４の構成を説明する。
【００１０】
絞り装置４は、中央に円形の開口部を有するカム板１０と、複数枚の絞り羽根２０と、中央に円形の開口部を有する固定環３０とを備えている。これらカム板１０、絞り羽根２０、固定環３０は、光軸Ｌ１を中心として配置されている。
【００１１】
カム板１０は、絞り羽根２０のカム軸２１と係合する複数のカム溝１１が形成された回転部材である。カム板１０の外縁部には図示しないセグメントギヤが設けられ、後述する駆動部５０のピニオンギヤ５１と噛み合っている。カム板１０が、前記セグメントギヤの回転により光軸Ｌ１を中心として回転駆動されることにより、複数枚の絞り羽根２０が同時に回転駆動される構造となっている。
【００１２】
絞り羽根２０は、入射した被写体光が通過する開口を規定するものであって、互いに光軸Ｌ１方向に重ね合わせて配置されている。この絞り羽根２０は、金属又は樹脂などの薄板状部材により形成されている。各絞り羽根２０には、カム板１０のカム溝１１と係合するカム軸２１と、固定環３０の軸穴３１（図２に１箇所だけ図示する）と係合する回転軸２２とが設けられている。
【００１３】
固定環３０は、レンズ鏡筒２の内部に固定配置される部材であり、絞り羽根２０の回転軸２２が挿入される軸穴３１が形成されている。複数枚の絞り羽根２０は、この固定環３０とカム板１０との間に収納され、さらにカム板１０の外側から図示しない押さえ板が嵌め込まれて固定環３０の外周部と嵌合されることにより、一体的な組み立て部品となる。この固定環３０とカム板１０との間に形成される空間は、複数枚の絞り羽根２０を収納する羽根室６０となる。なお、カム板１０と固定環３０との嵌合部分については図示を省略する。
【００１４】
また、固定環３０とカム板１０との間には、絞り羽根２０の開閉駆動時に、羽根室６０の光軸Ｌ１方向の間隔を可変とする羽根室可変手段としての圧電素子４０が配置されている。この圧電素子４０は、所定電圧の印加により光軸Ｌ１方向に伸縮変形する部材であり、固定環３０とカム板１０のそれぞれに接着により取り付けられている。固定環３０の外周部には、圧電素子４０を収納するための切り欠き部（符号省略）が、光軸Ｌ１を中心として平面的に等間隔で３箇所に形成されており、各圧電素子４０は、この切り欠き部にそれぞれ収納されている。
さらに、各圧電素子４０の上には、固定環３０の外周枠と同一形状の枠形部材３０ａ、３０ｂ、３０ｃが接着により取り付けられている。カム板１０は、固定環３０の外周部に設けられた図示しない段差部と、圧電素子４０の枠形部材３０ａ〜３０ｃを除く平坦部に接着により取り付けられている。そして、各圧電素子４０は、図１に示すように、制御部１００と電気的に接続されている（図１では、３箇所に配置された圧電素子４０うちの一つを図示する）。
【００１５】
制御部１００から各圧電素子４０には、所定電圧の羽根室可変信号が印加される。本実施形態の圧電素子４０は、第１電圧の羽根室可変信号が印加されたときは伸び変形して、羽根室６０の光軸Ｌ１方向の間隔を電圧の非印加時よりも広くし、第２電圧の羽根室可変信号が印加されたときは縮み変形して、羽根室６０の光軸Ｌ１方向の間隔を電圧の非印加時よりも狭くするように動作する。ここで、第１電圧、第２電圧は相対的に電位差を有する電圧であればよく、具体的な電圧値は適宜に選択されるものである。
【００１６】
なお、羽根室可変信号が印加されていないときは、羽根室６０の光軸Ｌ１方向の間隔は初期設定の間隔（以下、基準間隔という）となる。このように、基準間隔におけるカム板１０は、回転動作を妨げない程度に各絞り羽根２０を押圧して、隣接する絞り羽根同士の重なり合いを維持している。一方、第２電圧の羽根室可変信号が印加されたときは、羽根室６０の光軸Ｌ１方向の間隔はさらに狭くなり、カム板１０は、回転動作に適さない程度に各絞り羽根２０を押圧することになる。
【００１７】
また、制御部１００は、後述する絞り羽根２０を回転駆動するタイミングに合わせて羽根室可変信号を各圧電素子４０に印加している。例えば、絞り羽根２０を開閉駆動する直前に第１電圧の羽根室可変信号を印加することにより、絞り羽根２０が開閉駆動されている間は、羽根室６０の光軸Ｌ１方向の間隔が電圧の非印加時よりも広くなる。また、絞り羽根２０の開閉駆動を停止した後に、羽根室可変信号の印加を停止することにより、羽根室６０の光軸Ｌ１方向の間隔は基準間隔となる。或いは、絞り羽根２０の開閉駆動を停止した後に、第２電圧の羽根室可変信号を印加するようにした場合は、羽根室６０の光軸Ｌ１方向の間隔は電圧の非印加時よりも狭くなる。このように、絞り羽根２０を開閉駆動するタイミングに合わせて羽根室可変信号を印加することにより、羽根室６０の光軸Ｌ１方向の間隔は絞り値に応じて可変となる。
【００１８】
なお、上述したように、絞り羽根２０の開閉駆動を停止した後に、羽根室６０の光軸Ｌ１方向の間隔を基準間隔とするか、或いは電圧の非印加時よりも狭くするかは、適宜に選択されるものである。
【００１９】
さらに、制御部１００は、絞り羽根２０を回転駆動するとき以外にも、適宜に第２電圧の羽根室可変信号を各圧電素子４０に印加して、羽根室６０の光軸Ｌ１方向の間隔を制御している。例えば、カメラ１の図示しないレリーズボタンが押下されていないときなど、被写体光が通過する開口の制御が不要な期間中は、第２電圧の羽根室可変信号を各圧電素子４０に印加して、羽根室６０の光軸Ｌ１方向の間隔は電圧の非印加時よりも狭くなるように制御している。
【００２０】
同様に、カメラ１の電源がオフされた時や、沈胴式のレンズ鏡筒であれば縮胴時などのように、レンズ鏡筒が撮影不能な状態にあるときは、第２電圧の羽根室可変信号を各圧電素子４０に印加して、羽根室６０の光軸Ｌ１方向の間隔は電圧の非印加時よりも狭くなるように制御している。
【００２１】
上述したように、本実施形態の制御部１００は、絞り羽根２０の回転駆動と、圧電素子４０への電圧印加とを制御する回路であり、マイクロプロセッサにより構成されている。
【００２２】
駆動部５０は、図１に示すように、ピニオンギヤ５１、回転軸５２、およびステッピングモータ５３により構成されている。このうち、ピニオンギヤ５１がカム板１０の外縁部に設けられた不図示のセグメントギヤと噛み合っている。また、ステッピングモータ５３は制御部１００と電気的に接続されており、この制御部１００からステッピングモータ５３に、絞り羽根駆動信号（パルス信号）が印加される。
【００２３】
上記構成において、制御部１００から印加された絞り羽根駆動信号によりステッピングモータ５３が回転駆動されると、このステッピングモータ５３の回転軸５２に取り付けられたピニオンギヤ５１が回転し、さらにピニオンギヤ５１と噛み合う不図示のセグメントギヤが回転することで、カム板１０が所定方向に回転する。先に説明したように、カム板１０のカム溝１１は、絞り羽根２０のカム軸２１と係合しているため、カム板１０が図２の時計回りに回転すると、カム溝１１と係合するカム軸２１はカム溝１１に沿って光軸Ｌ１の方向（内側方向）に移動する。
【００２４】
これにより、絞り羽根２０は回転軸２２を中心として時計回りに回転する。カム板１０は、すべての絞り羽根２０のカム軸２１と係合しているため、上記のようにカム板１０が時計回りに回転駆動されると、すべての絞り羽根２０が回転軸２２を中心として時計回りに回転することになる。そして、各絞り羽根２０のカム軸２１がカム溝１１の終端部に達すると、図３に示すように、すべての絞り羽根２０が最大絞り位置となり、被写体光が通過する開口が閉じられて、開口サイズは最も小さくなる。また、この状態からカム板１０が反時計回りに回転駆動されたときには、上記と反対の動作となり、すべての絞り羽根２０は回転軸２２を中心として反時計回りに回転することになる。したがって、図２に示すように、すべての絞り羽根２０が最小絞り位置となり、被写体光が通過する開口が開かれて、開口サイズは最も大きくなる。
【００２５】
また、制御部１００は、絞り値に応じた絞り羽根駆動信号をステッピングモータ５３へ出力している。ステッピングモータ５３の回転量は、入力されるパルス信号の数に比例している。このため、露出値に基づいて設定された絞り値が大きい場合はパルス数の多い羽根駆動信号が出力され、絞り値が小さい場合はパルス数の少ない羽根駆動信号が出力されることになる。
【００２６】
このように、駆動部５０は、入射した被写体光が通過する開口が所望の開口サイズとなるように、複数枚の絞り羽根２０を所望の絞り値に応じて開閉駆動する駆動手段として機能する。
【００２７】
次に、本実施形態における絞り装置４の動作について説明する。図４（ａ）、（ｂ）は、図２のＡ−Ａ線における断面図であり、絞り羽根２０が最小絞り位置にあるときの断面を示している。このうち、図４（ａ）は羽根室６０の間隔を狭くしたときの状態を示す断面図、図４（ｂ）は羽根室６０の間隔を広くしたときの状態を示す断面図である。図４（ａ）に示すように、羽根室６０の間隔を狭くした状態では、カム板１０は、固定環３０の外周部に設けられた段差部３０ｄに接している。
【００２８】
また、図５（ａ）、（ｂ）は、図３のＢ−Ｂ線における断面図であり、絞り羽根２０が最大絞り位置にあるときの断面を示している。このうち、図５（ａ）は羽根室６０の間隔を広くしたときの状態を示す断面図、図５（ｂ）は羽根室６０の間隔を狭くしたときの状態を示す断面図である。なお、図４および図５には図示していないが、羽根室可変信号が印加されていないときの羽根室６０の間隔（基準間隔）は、図４（ａ）および図５（ｂ）よりもやや広い間隔に保たれている。
【００２９】
ここでは、絞り羽根２０を図２の最小絞り位置から図３の最大絞り位置まで回転駆動するときの動作について説明する。まず、図２および図４（ａ）に示す状態において、制御部１００から第１電圧の羽根室可変信号が各圧電素子４０に印加されると、各圧電素子４０は伸び変形する。このため、圧電素子４０と係合するカム板１０は図４（ａ）の矢印Ｃ方向に持ち上げられ、図４（ｂ）に示すように、羽根室６０の光軸Ｌ１方向の間隔が電圧の非印加時よりも広くなる。
【００３０】
このようにして、羽根室６０の光軸Ｌ１方向の間隔が広くなった後、制御部１００から所定の絞り値に対応した絞り羽根駆動信号がステッピングモータ５３に印加されると、ステッピングモータ５３の回転軸５２に取り付けられたピニオンギヤ５１が回転する。これにより、ピニオンギヤ５１と噛み合う不図示のセグメントギヤが回転して、カム板１０が時計回りに回転駆動される。カム板１０が時計回りに回転駆動されると、各絞り羽根２０が回転軸２２を中心として時計回りに回転する。そして、各絞り羽根２０のカム軸２１がカム溝１１の終端部に達すると、図３および図５（ａ）に示すように、すべての絞り羽根２０が最大絞り位置となり、被写体光が通過する開口が閉じられて、開口サイズは最も小さくなる。このような動作は、絞り羽根２０を図２の最小絞り位置から中間絞り位置まで回転駆動するときも同じである。
【００３１】
この状態で、制御部１００から第２電圧の羽根室可変信号が各圧電素子４０に印加されると、各圧電素子４０は縮み変形する。このため、圧電素子４０と係合するカム板１０は図５（ａ）の矢印Ｄ方向に沈み込み、図５（ｂ）に示すように、羽根室６０の光軸Ｌ１方向の間隔が電圧の非印加時よりも狭くなる。
【００３２】
上述したように、絞り羽根２０が回転駆動される際には、羽根室６０の光軸Ｌ１方向の間隔が広がり、絞り羽根２０が特定の絞り値の位置で停止したときには、羽根室６０の光軸Ｌ１方向の間隔が狭くなる。このような動作は、絞り羽根２０を図３の最大絞り位置から図２の最小絞り位置（又は中間絞り位置）まで回転駆動するときも同じである。
【００３３】
上記実施形態によると、以下の効果を奏する。
（１）絞り羽根２０の開閉駆動時に、羽根室６０の光軸Ｌ１方向の間隔を非開閉駆動時よりも広くなるようにしたので、重ね合わせて配置された絞り羽根同士の接触圧を弱くすることができる。したがって、絞り羽根２０の開閉駆動時における絞り羽根同士の擦れによる作動音を低減することができる。
【００３４】
これによれば、動作撮影モード時に絞り装置４が動作した場合でも、絞り羽根同士の擦れによる作動音が騒音として録音されてしまうことがなく、録画画像の品質低下を防ぐことができる。なお、絞り羽根同士の擦れによる作動音は、絞り羽根２０を所望の開口サイズまで閉じるときだけでなく、閉じた絞り羽根２０を開くときにも発生するため、動作撮影モードのように連続して絞り羽根２０を回転駆動する場合に有効なものとなる。
（２）絞り羽根２０の開閉駆動時に、羽根室６０の光軸Ｌ１方向の間隔を絞り値に応じて可変とすることにより、絞り羽根２０が回転駆動される際には絞り羽根同士の接触圧を弱くし、且つ絞り羽根２０の回転駆動が所望の絞り値の位置で停止したときには、各絞り羽根２０を押圧した状態とすることができる。このため、絞り羽根２０が所望の絞り位置で停止したときには、隣接する絞り羽根２０の隙間から光が漏れるのを防ぐことができる。これにより、撮影した画像の画質低下を防ぐことができる。
（３）被写体光が通過する開口の制御が不要な期間中は、羽根室６０の光軸Ｌ１方向の間隔が電圧の非印加時よりも狭くなるようにしたので、上記期間中、各絞り羽根２０は押圧された状態となり、絞り羽根同士の接触圧が高められるので、カメラ１に振動や衝撃などが加わった場合でも、隣接する絞り羽根同士の重なり合いを維持することができる。したがって、カメラ１に振動や衝撃などが加わった場合の絞り羽根２０の擦れによる磨耗や破損を防ぐことができる。
（４）レンズ鏡筒２が撮影不能な状態にあるときは、羽根室６０の光軸Ｌ１方向の間隔が電圧の非印加時よりも狭くなるようにしたので、上記期間中、各絞り羽根２０は押圧された状態となり、絞り羽根同士の接触圧が高められるので、レンズ鏡筒２に振動や衝撃などが加わった場合でも、隣接する絞り羽根同士の重なり合いを維持することができる。したがって、カメラ１に装着された状態のときだけでなく、レンズ鏡筒２単体の状態において振動や衝撃などが加わった場合の絞り羽根２０の擦れによる磨耗や破損を防ぐことができる。
（５）羽根室可変手段として、第１電圧が印加されたときは伸び変形して羽根室６０の光軸Ｌ１方向の間隔を電圧の非印加時よりも広くし、第２電圧が印加されたときは縮み変形して羽根室６０の光軸Ｌ１方向の間隔を電圧の非印加時よりも狭くするように動作する圧電素子を用いているため、羽根室６０の光軸Ｌ１方向の間隔を簡単且つ正確に制御することができる。
（変形形態）
【００３５】
以上、説明した実施形態に限定されることなく、本発明は以下に示すような種々の変形や変更が可能であり、それらも本発明の範囲内である。
（１）上記実施形態では、単一構造の圧電素子４０により羽根室６０の間隔を制御する例について示したが、羽根室可変手段として、複数の圧電素子からなる積層型の圧電アクチュエータを用いてもよい（図示を省略）。このような積層型の圧電アクチュエータの各圧電素子に対し個別に電圧を印加することにより、羽根室６０の間隔を段階的に広くしたり、狭くしたりすることができる。すなわち、絞り羽根同士の重なりが少ないときは羽根室６０の間隔を広くする割合を少なくし、絞り羽根同士の重なりが多くなるにつれて羽根室６０の間隔が徐々に広くなるように制御することができる。これによれば、絞り羽根の重なり状態に応じて羽根室６０の間隔を適切な間隔に保つことができるので、絞り羽根２０の開閉駆動時に、絞り羽根同士の接触圧を強くすることなしに、圧電素子４０の駆動量を必要最小限に抑えることができる。
（２）上記実施形態では、羽根室可変手段として、所定電圧の印加により所定方向に伸縮変形する圧電素子を用いた例について説明したが、同等に機能するものであれば他の部材を用いることもできる。例えば、通電による熱の発生で伸縮変形する形状記憶合金を用いてもよい。
（３）上記実施形態では、本発明に係わる絞り装置およびカメラのレンズ鏡筒を、カメラボディに対してレンズ鏡筒が着脱自在に装着されるデジタルカメラに適用した例について説明したが、本発明はこれに限定されるものではなく、例えば、レンズ一体型カメラ、ビデオカメラに設けられた絞り装置、レンズ鏡筒にも適用することもできる。
【００３６】
また、上記実施形態および変形形態は適宜に組み合わせて用いることができるが、各実施形態の構成は図示により明らかであるため、詳細な説明は省略する。また、本発明は以上説明した実施形態によって限定されることはない。
【図面の簡単な説明】
【００３７】
【図１】実施形態の絞り装置を備えたレンズ鏡筒およびそのレンズ鏡筒が装着されたカメラの概略図である。
【図２】絞り装置の絞り羽根が最小絞り位置にあるときの平面図である。
【図３】絞り羽根が最大絞り位置にあるときの平面図である。
【図４】（ａ）、（ｂ）は図２のＡ−Ａ線における断面図である。
【図５】（ａ）、（ｂ）は図３のＢ−Ｂ線における断面図である。
【符号の説明】
【００３８】
１：カメラ、２：レンズ鏡筒、４：絞り装置、１０：カム板、２０：絞り羽根、３０：固定環、４０：圧電素子、５０：駆動部、６０：羽根室、１００：制御部
【図１】
2010078804.tif 000003
【図２】
2010078804.tif 000004
【図３】
2010078804.tif 000005
【図４】
2010078804.tif 000006
【図５】
2010078804.tif 000007